(57)【特許請求の範囲】
【請求項１】
構造物の周縁となる下部構造体上に載置した多数のジャッキと、下部構造体内の基礎上に立設された多数の仮設サポート上のジャッキと積層ライナーとにより構造物を支持して該構造物の骨組みを完了させた後、前記下部構造体上の全てのジャッキを押し上げ、前記構造物の全荷重を積層ライナーを介して負担した上で、前記仮設サポート上のジャッキの下降と積層ライナーを順次除去しながら無負荷の状態とした後、下部構造体上のジャッキの揺動傾斜時の積層ライナーによる全荷重の支持に次いで、ジャッキの揺動傾斜の補正とジャッキによる全荷重の支持を行った上で積層ライナーの除去を行い、以下、下部構造体上でのジャッキおよび積層ライナーの交互動作を順次繰り返すことで、積層ライナーの除去と全てのジャッキを段階的に下降させて、構造物の支承部を下部構造体上に支持固定することを特徴とする構造物の構築方法。
【請求項２】
前記請求項１に記載の構造物の構築方法に使用される構築装置であって、基礎上に構築された構造物の周縁となる下部構造体と、該下部構造体内の基礎上に立設された多数の仮設サポートと、これら下部構造体および仮設サポート上に載置されたジャッキと積層ライナーとの組合せとから構成されたことを特徴とする構造物の構築装置。
【発明の詳細な説明】
【０００１】
【発明の属する技術分野】
本発明は、例えば上弦材と下弦材を腹材を介して接合してなるトラス材を網目状に組み立ててなる大屋根構造物等の構造物の構築方法および構築装置に関し、トラス構造のみならず桁構造等にも適用可能である。
【０００２】
【従来の技術】
大屋根構造物等の構造物は、通常、適宜数のブロックに分割されたものを組み立てて構築がなされるが、構造物を構成する部材数や種類が多いことからその構築時には仕分けや選出作業に多くの時間と手間を必要としていた。また、組立の際に分割されたブロックを確実に接合できないと、構造物自体の自立が成立しないことになるため、構築には仮設サポートを必要とした。
このような仮設サポートを使用した構造物の構築方法の従来例を、図３によって説明する。
【０００３】
構造物の周縁となる下部構造体（躯体）２３内の基礎上に立設された多数の仮設サポート２２は、予め構造物２１が構築される場所の地上の基礎Ｇ上に必要とされる数だけ立設される。仮設サポート２２の頂部には、ジャッキ２９および積層ライナー３１が固定され、地上にてブロック状に分割して組み立てられた構造物は組立クレーン等を用いて仮設サポート２２上に吊り上げられ、ジャッキ受部３０を介してジャッキ２９および積層ライナー３１上に載置固定される。構造物の周縁の支承部２４は下部構造体２３に固定される。
仮設サポート２２および下部構造体２３上でのブロック状の構造物の骨組みの接合等による組立が完了した時点で、構造物２１を自立させるために仮設サポート２２上のジャッキ２９を全て同時に緩めてジャッキダウンがなされ、最終的に構造物の全荷重は、周縁の支承部２４によって下部構造体２３に転嫁される。
【０００４】
【発明が解決しようとする課題】
ところが、このような従来の構築方法では、構造物２１の自立のためには、周縁部に比較して強度がそれほど大きくない構造物２１の中間部の各部を支持する仮設サポート２２上のジャッキ２９を全て同時に緩めてジャッキダウンをする必要があり、全ての個所に作業員（手作業によるジャッキ調整作業）を配置するか、全てのジャッキ２９・・・を自動制御で同時に動作させる必要があるが、高所での多数の作業員の配置については安全性にも問題があって実用的でなく、効率が悪化する虞れも生じた。また、完全なる自動制御については装置が複雑かつ高価となる他、監視人を置くことなく自動制御させた場合は構造物という特有の構築形態での安全上の課題を残した。とは言え、監視体制を整備すると自動制御の利点が減殺され、自動制御装置の設置分だけ余分な建設費用がかかることになって実際的でなかった。
【０００５】
そこで、本発明では、前記従来の構造物の構築工法の諸課題を解決して比較的強度の大きい周縁部にて荷重を負担したジャッキ操作を行うことにより、簡素な機材と少ない人員にても安全に構築が行える構造物の構築方法および構築装置を提供することを目的とする。
【０００６】
【課題を解決するための手段】
このため本発明は、構造物の周縁となる下部構造体上に載置した多数のジャッキと、下部構造体内の基礎上に立設された多数の仮設サポート上のジャッキと積層ライナーとにより構造物を支持して該構造物の骨組みを完了させた後、前記下部構造体上の全てのジャッキを押し上げ、前記構造物の全荷重を積層ライナーを介して負担した上で、前記仮設サポート上のジャッキの下降と積層ライナーを順次除去しながら無負荷の状態とした後、下部構造体上のジャッキの揺動傾斜時の積層ライナーによる全荷重の支持に次いで、ジャッキの揺動傾斜の補正とジャッキによる全荷重の支持を行った上で積層ライナーの除去を行い、以下、下部構造体上でのジャッキおよび積層ライナーの交互動作を順次繰り返すことで、積層ライナーの除去と全てのジャッキを段階的に下降させて、構造物の支承部を下部構造体上に支持固定することを特徴とするものである。
また本発明は、前記構造物の構築方法に使用される構築装置であって、基礎上に構築された構造物の周縁となる下部構造体と、該下部構造体内の基礎上に立設された多数の仮設サポートと、これら下部構造体および仮設サポート上に載置されたジャッキと積層ライナーとの組合せとから構成されたことを特徴とするもので、これらを課題解決のための手段とするものである。
【０００７】
【実施の形態】
以下、本発明の実施の形態を図面に基づいて説明する。
図１および図２は本発明の構造物の構築方法および構築装置の１実施の形態を示すもので、図１（Ａ）は構造物を構築中の半分切り欠いた平面図、図１（Ｂ）はその正面図および下部構造体への支承部の拡大図、図２は構築中の仮設サポートおよび下部構造体上のジャッキの状態を示す正面詳細図である。
本発明の構造物の構築方法について詳述すると、図１（Ｂ）に示すように、構造物１の周縁となる下部構造体（躯体）３および該下部構造体３内の基礎Ｇ上に立設された多数の仮設サポート２、２・・・上にて構造物１を構築するもので、前記下部構造体３上にジャッキ５、５、および仮設サポート２上にジャッキ９、９と積層ライナー１１、１１とを組み合わせて載置する（下部構造体３部については図２を参照）とともに、適宜数のブロックに分割されて基礎Ｇにて組み立てられた構造物１をブロック毎に図示省略の組立クレーン等の揚重機にて吊り上げる。
【０００８】
次いで、前記下部構造体３上のジャッキ５、５、および仮設サポート２上のジャッキ９、９と積層ライナー１１、１１とにより支持させて構造物１の骨組みを完了させ、図２（Ａ）に示すように、下部構造体３上における全てのジャッキ５、５・・・を押し上げて下部積層ライナー７、７を介して構造物１の全荷重を負担した上で、仮設サポート２、２・・・上におけるジャッキ９、９・・・を段階的に下降させ、積層ライナー１１、１１・・・を順次除去した後、図２（Ｂ）に示すように、下部構造体３上の全てのジャッキ５、５・・・を下降させて、下部積層ライナー７、７を順次除去しながら、構造物１の支承部４を下部構造体３上に支持固定するものである。
【０００９】
前記下部構造体３上における全てのジャッキ５、５・・・を押し上げて、下部構造体３が構造物１の全荷重を下部積層ライナー７を介して負担した状態以降の工程を詳述すると、図２（Ａ）の状態、すなわち下部構造体３上における全てのジャッキ５、５・・・を押し上げると、構造物１の中間部は各仮設サポート２、２・・・上のジャッキ受部１０・・・から離間し、自重によって構造物１が僅かながらも拡開し、構造物１の外周縁は径方向外側に移動する。したがって、下部構造体３上の各ジャッキ５は底部を中心として僅か外側に揺動する。
下部構造体３上のジャッキ５の伸長によって上昇した構造物１周縁下部の下部支承部４との間の隙間に下部ライナー７を積層して追加する。これによって、ジャッキ５を下降させても下部積層ライナー７が構造物１の全荷重を負担できることになる。このとき、揺動傾斜したジャッキ５、５は、手動または自動制御あるいはレール上にジャッキを載置して構成した自動補正装置等により正常位置に復元するように構成される。
【００１０】
この状態から、無負荷状態にある各仮設サポート２上における上部積層ライナー１１、１１をジャッキ９の伸縮動作と組み合わせて１段ずつ順次除去して行くことになる。これらの仮設サポート２上におけるジャッキ９の下降による上部積層ライナー１１、１１の支持に続いて、下部構造体３上のジャッキ５による支持後の下部ライナー７の除去、次いで、仮設サポート２上のジャッキ９、９の伸長後の上部積層ライナー１１、１１の除去およびジャッキ９、９の下降後の上部積層ライナー１１、１１による支持と、以下、下部構造体３上でのジャッキおよび積層ライナーによる交互動作と仮設サポート２上でのジャッキおよび積層ライナーによる交互動作を順次繰り返すことで、構造物１を徐々にジャッキダウンさせ、最終的に構造物１の支承部４を下部構造体３上に下降させて支持固定する。
【００１１】
以上、本発明の各実施の形態について説明してきたが、本発明の趣旨の範囲内で、構造物の形状（円形に限らず、三角、方形、多角形等）、形式（トラス構造の他、桁構造等）、下部構造体の形状、形式、仮設サポートの形状、形式およびその設置形態、数、分割されてブロック化された構造物の揚重形態およびそれらの間の接合形態、構造物の下部構造体および仮設サポートへの支持形態、ジャッキおよび積層ライナーの形状、形式、配設形態およびそれらの間の関連構成等については適宜採用が可能である。
【００１２】
【発明の効果】
以上、詳細に説明してきたように本発明によれば、仮設サポートが負担していた構造物の荷重を、比較的強度の大きい周縁部である下部構造体に転嫁させてジャッキ操作を行うことにより、構造物をジャッキダウンさせることが可能となり、簡素な機材と少ない人員にても、低コストで安全かつ短縮された工期のもとに構造物の構築ができる。
また、構造物の荷重を負担してのジャッキ作業が、強度が大きく地上にも近い足場の確実な下部構造体上にて行えるので、作業の安全性が確保できる。
さらに、従来の仮設サポート上におけるジャッキダウンに比較して、ジャッキの数を大幅に減らすことが可能となり、設備費用の低減と作業手間の軽減が図れる。
かくして、本発明によれば、比較的強度の大きい周縁部にて荷重を負担したジャッキ操作を行うことにより、簡素な機材と少ない人員にても安全に構築が行える構造物の構築方法および構築装置が提供される。
【図面の簡単な説明】
【図１】本発明の構造物の構築方法および構築装置の１実施の形態を示すもので、図１（Ａ）は構造物を構築中の半分切り欠いた平面図、図１（Ｂ）はその正面図および下部構造体への支承部の拡大図である。
【図２】同、構築中の仮設サポートおよび下部構造体上のジャッキの状態を示す正面詳細図である。
【図３】従来の屋根構造体の構築工法を示す正面図である。
【符号の説明】
１・・・・構造物
２・・・・仮設サポート
３・・・・下部構造体（躯体）
４・・・・下部支承部
５・・・・下部ジャッキ
６・・・・下部ジャッキ受部材
７・・・・下部積層ライナー
８・・・・支承部
９・・・・ジャッキ
１０・・・・ジャッキ受部
１１・・・・上部積層ライナー
Ｇ・・・・基礎（地上）
【図１】
0003693893.tif 000002
【図２】
0003693893.tif 000003
【図３】
0003693893.tif 000004